(57)【要約】【課題】材料板から切り出されて製造される弾球遊技機用遊技板の製造コストを抑制する。【解決手段】遊技板１０は、１枚の遊技板１０を切り出すのに必要な大きさを有する材料板１４の１枚から切り出された２組の分割部材が１組毎に互いに接合されて構成される。このため、たとえば材料板１４の１枚から遊技板１０を分割しないで切り出して１枚の遊技板１０を製造する場合と比較して、遊技板１０の１枚毎の製造コストを抑制することができる。【選択図】図２
2018175178.tif 000002
【特許請求の範囲】
【請求項１】
弾球遊技機の遊技領域を形成する弾球遊技機用遊技板であって、
前記弾球遊技機用遊技板を切り出すのに必要な大きさを有する材料板の１枚、あるいは前記材料板よりも小さい材料板の１枚から切り出された複数組の分割部材が前記複数組毎に互いに接合されて構成されたものである
ことを特徴とする弾球遊技機用遊技板。
【請求項２】
前記弾球遊技機用遊技板は、前記弾球遊技機用遊技板の裏面の複数部位に固着された、前記弾球遊技機用遊技板と厚みの異なる複数の裏打ち部材を有し、
前記複数の裏打ち部材は、裏打ち部材用材料板の１枚から切り出された複数組のうちの１組である
ことを特徴とする請求項１の弾球遊技機用遊技板。
【請求項３】
前記弾球遊技機用遊技板を切り出すのに必要な大きさを有する材料板あるいは前記材料板よりも小さい材料板の材質は樹脂である
ことを特徴とする請求項１または２の弾球遊技機用遊技板。
【発明の詳細な説明】
【技術分野】
【０００１】
本発明は、材料板から切り出されて形成される弾球遊技機用遊技板の製造コストを抑制する技術に関する。
【背景技術】
【０００２】
弾球遊技機において、弾球が打ち出される遊技領域を形成する弾球遊技機用遊技板が知られている。たとえば、特許文献１および２の弾球遊技機用遊技板がそれである。特許文献１および２の弾球遊技機用遊技板は、木製の合板の表面に合成樹脂製の化粧板が貼り付けられたものであり、２枚の矩形状の遊技板分割部材である上側の遊技板分割部材および下側の遊技板分割部材が上下方向に接合されて構成されている。上側の遊技板分割部材の下側の一辺および下側の遊技板分割部材の上側の一辺には矩形状の切欠きが形成されており、２枚の遊技板分割部材が組み合わされることによって弾球遊技機用遊技板の中央部に表示装置を取り付けるための取付孔が形成されている。表示装置は、たとえば図柄合わせゲームを行うためのものである。
【先行技術文献】
【特許文献】
【０００３】
【特許文献１】特開２００２−１５３６１０号公報
【特許文献２】特開２０１０−１７９１５７号公報
【発明の概要】
【発明が解決しようとする課題】
【０００４】
ところで、１つの弾球遊技機用遊技板の全体を切り出すのに必要な面積を有する材料板から所定の形状に切り出して１つの弾球遊技機用遊技板を形成することが考えられる。上記の材料板から１つの弾球遊技機用遊技板を所定の形状に切り出すと、材料板のたとえば表示装置を取り付けるための取付孔などに対応する部分は、弾球遊技機用遊技板として利用されない部分となり、リサイクルなどのように使用用途が限定されるため、１つの弾球遊技機用遊技板の製造コストが増大するといった問題があった。
【０００５】
本発明は、以上の事情を背景として為されたものであり、その目的とするところは、材料板から切り出されて製造される弾球遊技機用遊技板の製造コストを抑制することにある。
【課題を解決するための手段】
【０００６】
第１発明の要旨とするところは、弾球遊技機の遊技領域を形成する弾球遊技機用遊技板であって、前記弾球遊技機用遊技板を切り出すのに必要な大きさを有する材料板の１枚、あるいは前記材料板よりも小さい材料板の１枚から切り出された複数組の分割部材が前記複数組毎に互いに接合されて構成されたものであることにある。
【０００７】
第２発明の要旨とするところは、前記第１発明において、前記弾球遊技機用遊技板は、前記弾球遊技機用遊技板の裏面の複数部位に固着された、前記弾球遊技機用遊技板と厚みの異なる複数の裏打ち部材を有し、前記複数の裏打ち部材は、裏打ち部材用材料板の１枚から切り出された複数組のうちの１組であることにある。
【０００８】
第３発明の要旨とするところは、前記第１発明または前記第２発明において、前記弾球遊技機用遊技板を切り出すのに必要な大きさを有する材料板あるいは前記材料板よりも小さい材料板の材質は樹脂であることにある。
【発明の効果】
【０００９】
第１発明によれば、前記弾球遊技機用遊技板を切り出すのに必要な大きさを有する材料板の１枚、あるいは前記材料板よりも小さい材料板の１枚から切り出された複数組の分割部材が前記複数組毎に互いに接合されて構成されたものである。このため、たとえば前記弾球遊技機用遊技板を切り出すのに必要な大きさを有する材料板の１枚から１つの前記弾球遊技機用遊技板が切り出される場合と比較して、前記弾球遊技機用遊技板の製造コストを抑制することができる。
【００１０】
第２発明によれば、前記弾球遊技機用遊技板は、前記弾球遊技機用遊技板の裏面の複数部位に固着された、前記弾球遊技機用遊技板と厚みの異なる複数の裏打ち部材を有し、前記複数の裏打ち部材は、裏打ち部材用材料板の１枚から切り出された複数組のうちの１組である。このため、弾球遊技機用遊技板の厚みが要求される複数部位に前記裏打ち部材が固着されて弾球遊技機用遊技板の厚みが確保されるとともに、前記裏打ち部材用材料板の１枚から複数組の裏打ち部材が切り出されるため、弾球遊技機用遊技板の製造コストを抑制することができる。
【００１１】
第３発明によれば、前記弾球遊技機用遊技板を切り出すのに必要な大きさを有する材料板あるいは前記材料板よりも小さい材料板の材質は、樹脂である。このため、樹脂から成る材料板の弾球遊技機用遊技板として利用されない部分を抑制することができる。これにより、弾球遊技機用遊技板の製造コストを抑制することができる。
【図面の簡単な説明】
【００１２】
【図１】弾球遊技機に備えられる本発明の一実施例の弾球遊技機用遊技板の正面図である。
【図２】図１の弾球遊技機用遊技板をそれぞれ構成する複数組の分割部材が切り出される材料板を示す図であって、材料板において各分割部材が切り出される切出位置の一例が示されている。
【図３】弾球遊技機に備えられる他の実施例の弾球遊技機用遊技板の正面図である。
【図４】図３の弾球遊技機用遊技板から抜き出した遊技板表面部材の正面図である。
【図５】図３の弾球遊技機用遊技板から抜き出した複数の裏打ち部材の正面図である。
【図６】図３の弾球遊技機用遊技板の裏面に固着される複数組の裏打ち部材が切り出される裏打ち部材用材料板を示す図であって、裏打ち部材用材料板において各裏打ち部材が切り出される切出位置の一例が示されている。
【発明を実施するための形態】
【００１３】
以下、本発明の弾球遊技機用遊技板の一実施例について図面を参照して詳細に説明する。
【実施例１】
【００１４】
図１は、弾球遊技機に装着される弾球遊技機用遊技板１０の正面図である。弾球遊技機は、四角い外枠と、外枠の正面にその左右の一端に支持されてドア状に開閉可能に取り付けられた前枠と、前枠の裏側に取り付けられた機構板とを備えている。前枠は大きな窓枠を有しており、前枠の表側には、窓枠を覆う開閉自在なガラス扉と、玉皿付きの前面板とが設けられている。前枠の裏側には弾球遊技機用遊技板１０（以下、遊技板１０という）を、前枠と機構板との間に取り付けるための複数（本実施例では４）の取付軸が設けられている。遊技板１０は、前枠の裏側に設けられた取付軸に対応する位置に複数（本実施例では４）の貫通孔１２を備え、貫通孔１２に前枠の取付軸が挿通させられた状態で、機構板に設けられた取付金具を用いて前枠に固定される。遊技板１０の前枠側（表側）の面である表面の外周部には、たとえば帯状のガイドレールが、ガイドレールで囲まれた円形領域である遊技領域内に弾球が入射されるための入口が形成されるように、環状に設けられる。つまり、遊技板１０の表面のうち、ガイドレールに囲まれた部分が弾球遊技機の遊技領域を形成している。
【００１５】
遊技板１０は、たとえばアクリル樹脂などの樹脂製或いは合板製の板材であって、たとえば１０ｍｍ程度の厚みを有する長方形状の材料板１４から切り出された１組の分割部材が互いに接合されて構成されている。１枚の遊技板１０を構成する１組の分割部材は、第１分割部材１６、第２分割部材１８、第３分割部材２０、第４分割部材２２、および第５分割部材２４である。第１分割部材１６、第２分割部材１８および第４分割部材２２は、外側に凸の円弧状部材である。第３分割部材２０は、長手状部材である。第５分割部材２４は、正面に視たときの形状が逆Ｌ字状の部材である。第１分割部材１６、第２分割部材１８、第３分割部材２０、第４分割部材２２、および第５分割部材２４は、それぞれ平滑な接合面１６ａ，１６ｂ、接合面１８ａ，１８ｂ、接合面２０ａ，２０ｂ、接合面２２ａ，２２ｂ，２２ｃ，２２ｄ、および接合面２４ａ，２４ｂをそれぞれ備え、種々の固定手段によって相互に固定されている。接合面１６ｂと接合面１８ａとが相互に固着されることにより、第１分割部材１６と第２分割部材１８とが互いに接合されている。同様に、接合面１８ｂと接合面２０ａとが相互に固着されることによって、第２分割部材１８と第３分割部材２０とが接合されている。接合面１６ａと接合面２２ｂとが相互に固着されることによって、第１分割部材１６と第４分割部材２２とが互いに接合されている。接合面２２ｃと接合面２４ａおよび接合面２２ｄと接合面２４ｂとがそれぞれ相互に固着されることによって、第４分割部材２２と第５分割部材２４とが互いに接合されている。また、第１分割部材１６の内側面１６ｃ、第２分割部材１８の内側面１８ｃ、第３分割部材２０の内側面２０ｃ、第４分割部材２２の内側面２２ｅの互いに隣接する内側面同士が相互の接合状態では連続するように、第１分割部材１６、第２分割部材１８、第３分割部材２０および第４分割部材２２が接合されている。遊技板１０の中央部には、たとえば図示しない表示装置を取り付けるための取付孔２６が構成される。遊技板１０の表側表面（前枠側の面）には、厚さ数十μｍ程度の平滑なフィルムが張られることにより、各分割部材の接合部において厚さ方向のたとえば１０〜２０μｍ程度の僅かな段差が生じている遊技板１０の表側表面（表面）が平滑にされている。
【００１６】
遊技板１０を構成する各分割部材の形状は、材料板１４からの複数組の分割部材が切り出されるように、それぞれの切出位置の配置、および遊技板１０の強度等によって決定されている。本実施例の遊技板１０では、弾球の落下方向を変化させるために設けられる障害釘は、その大部分が遊技板１０を表側から視たときの左側の領域および下側の取付孔２６周辺の領域に配置されることから、遊技板１０の上記左側の領域および下側の取付孔２６周辺の領域は、それ以外の領域よりも障害釘を配置するための強度が必要となる。このため、遊技板１０の上記左側の領域および下側の取付孔２６周辺の領域内に、第１分割部材１６と第４分割部材２２との接合部の１ヶ所が配置され、遊技板１０の上記左側の領域および下側の取付孔２６周辺の領域以外の領域内に、第１分割部材１６と第２分割部材１８との接合部、第２分割部材１８と第３分割部材２０との接合部、第３分割部材２０と第４分割部材２２との接合部、第４分割部材２２と第５分割部材２４との２ヶ所の接合部の合計５ヶ所の接合部が、配置されている。なお、遊技板１０の厚みは、遊技板１０の表面に配置された障害釘を保持するのに充分なたとえば１０ｍｍ程度の厚みである。また、遊技板１０の第１分割部材１６および第４分割部材２２の接合部周辺の表面には、たとえば図示しない風車が設置され、上記の接合部が表側から目立ち難くされる。
【００１７】
図２は、複数の遊技板１０を構成する複数組の分割部材が切り出される材料板１４を示す図であって、材料板１４から各分割部材が切り出される切出位置の一例が示されている。材料板１４は、１枚の遊技板１０をそのままの形で一体状態で切り出すのに必要な大きさを有しており、長方形状である。材料板１４の１枚の遊技板１０を切り出すのに必要な大きさとは、材料板１４から遊技板１０を分割することなくそのままの形で切り出す際に、材料板１４が遊技板１０の周囲に遊技板１０に利用されない所定の余白を有する大きさであり、たとえば、本実施例の材料板１４の大きさは、図１において一点鎖線で表されている。本実施例では、図２に示されるように、１枚の遊技板１０を構成する１組の分割部材が１枚の材料板１４から２組切り出される。そして、１枚の材料板１４から切り出された２組の分割部材が１組毎に互いに接合されて２枚の遊技板１０が構成される。２つの第１分割部材１６、２つの第２分割部材１８、２つの第３分割部材２０、２つの第４分割部材２２および２つの第５分割部材２４のそれぞれの種類が同じ分割部材毎の切出位置は、材料板１４の中心点Ｏに対して点対称の位置に位置している。具体的には、２組の分割部材のそれぞれの第１分割部材１６は、そのそれぞれの外側面１６ｄの一部に長方形の材料板１４の直交する２辺の一部が利用されるように材料板１４から切り出され、第１分割部材１６の切り出しにより、材料板１４の４角のうちの２角が切り取られる。２組の分割部材のそれぞれの第４分割部材２２は、接合面２２ａが第１分割部材１６の内側面１６ｃのうちの材料板１４の一辺に平行な面に対向するように内側面２２ｅが外側を向くように切出位置が定められ、図１でのおよそ右側３分の１が第１分割部材１６の内側から切り出される。２組の分割部材のそれぞれの第５分割部材２４は、接合面２４ａが第１分割部材１６の接合面１６ｂに近接して対向するように切出位置が定められ、材料板１４の４角のうちの第１分割部材１６の切り出しによって切り取られる２角以外の２角から切り出される。２組の分割部材のそれぞれの長手状の第３分割部材２０は、その長手方向が第５分割部材２４の接合面２４ｂを有している側の長手状部分に沿うように切出位置が定められ、第４分割部材２２と第５分割部材２４との間から切り出される。２組の分割部材のそれぞれの第２分割部材１８は、２組の分割部材の第４分割部材２２同士の周方向の間であって、第１分割部材１６の内側に切出位置が定められ、そこから切り出される。第２分割部材１８のおよそ３分の２は、第１分割部材１６の内側から切り出される。このように、材料板１４の第１分割部材１６の内側部分が第２分割部材１８の一部および第４分割部材２２の一部に利用され、材料板１４の４角のうちの２角が第３分割部材２０および第５分割部材２４に利用されるなどして、１枚の材料板１４から１枚の遊技板１０を構成する分割部材が２組切り出されるため、たとえば、１枚の材料板１４から１枚の遊技板１０を分割することなく一体で切り出す場合よりも、材料板１４の遊技板１０に利用されない部分を少なくすることができる。
【００１８】
上述のように、本実施例の遊技板１０によれば、１枚の遊技板１０を切り出すのに必要な大きさを有する材料板１４の１枚から切り出された２組の分割部材が組毎に互いに接合されて構成されたものである。このため、たとえば材料板１４の１枚から１枚の遊技板１０を分割しないで一体で切り出す場合と比較して、遊技板１０の１枚毎の製造コストを抑制することができる。
【００１９】
また、本実施例の遊技板１０によれば、１枚の遊技板１０を切り出すのに必要な大きさを有する材料板１４は、材質が樹脂である。このため、樹脂から成る材料板１４の遊技板１０に利用されない部分を少なくすることができる。これにより、遊技板１０の製造コストを抑制することができる。
【実施例２】
【００２０】
本実施例の弾球遊技機用遊技板３０（以下、遊技板３０という）は、遊技板表面部材３２とその遊技板表面部材３２の裏面に固着された複数の裏打ち部材との２層構造を局所的に有している点で前述の実施例１の遊技板１０と異なるが、それ以外の点は遊技板１０と実質的に共通する。以下、その異なる点について、図３から図６を用いて説明する。
【００２１】
図３は、遊技板３０の正面図である。図４は、遊技板３０の表層を構成する遊技板表面部材３２の正面図である。図５は、遊技板３０の裏面のうち障害釘打ちのために厚みを必要とする部分に固着された複数の裏打ち部材３８，４０，４２，４４，４６の正面図である。遊技板３０は、遊技板表面部材３２と、遊技板表面部材３２の裏面すなわち遊技板３０の裏面の複数部位に固着された複数の裏打ち部材３８，４０，４２，４４，４６とを備えている。遊技板表面部材３２は、たとえば実施例１の遊技板１０と同様に、実施例１の遊技板１０を構成する分割部材が２組切り出される材料板１４よりも厚みの薄いたとえば２ｍｍの厚みの樹脂製の材料板の１枚から切り出された遊技板表面部材３２を構成する複数組の分割部材が組毎に互いに接合されて構成される。つまり、遊技板３０の遊技板表面部材３２は、遊技板１０の厚みが薄くされたものであり、取付孔２６と同じ形状を有する取付孔３６を備えている。なお、図３および図４において、遊技板３０を構成する各分割部材の接合面が互いに接合された接合部は示されていない。
【００２２】
複数の裏打ち部材すなわち第１裏打ち部材３８、第２裏打ち部材４０、第３裏打ち部材４２、第４裏打ち部材４４および第５裏打ち部材４６は、遊技板３０の遊技板表面部材３２の裏面の取付孔３６の周辺の所定位置に種々の固定手段によって固定されている。図３において、複数の裏打ち部材３８，４０，４２，４４，４６のそれぞれは、二点鎖線で示されている。第１裏打ち部材３８、第２裏打ち部材４０、第３裏打ち部材４２は、そのそれぞれの内側面３８ａ，４０ａ，４２ａ（図５に示す）が、取付孔３６を構成する内周面と略面一となるように、遊技板表面部材３２の裏面に設けられる。第１裏打ち部材３８、第２裏打ち部材４０は、遊技板表面部材３２の実施例１の第１分割部材１６に相当する分割部材の裏面に設けられる。また、第５裏打ち部材４６は、その内側面４６ａが取付孔３６を構成する内周面に沿うように近接して、遊技板表面部材３２の実施例１の第４分割部材２２に相当する分割部材の裏面に設けられる。複数の裏打ち部材は、裏打ち部材用材料板５０（図６に示す）の１枚から切り出された複数組のうちの１組である。裏打ち部材用材料板５０は遊技板表面部材３２を構成する複数組の分割部材が切り出される前記材料板と厚みが異なり、前記材料板よりも厚みが厚く、たとえば８ｍｍの厚みを有していて、裏打ち部材用材料板５０の厚みと前記材料板の厚みとを合計した厚みは、実施例１の遊技板１０の厚みと等しくされる。
【００２３】
図６は、遊技板３０の裏面に固着される複数組の裏打ち部材３８，４０，４２，４４，４６が切り出される裏打ち部材用材料板５０を示す図であって、裏打ち部材用材料板５０において各裏打ち部材３８，４０，４２，４４，４６が切り出される切出位置の一例が示されている。裏打ち部材用材料板５０は、１枚の遊技板表面部材３２を分割することなく一体で切り出す際に遊技板表面部材３２の周囲に遊技板表面部材３２に利用されない所定の領域を有する大きさの長方形状の平板であり、たとえば、本実施例の裏打ち部材用材料板５０の大きさは、図３から図５の一点鎖線で示されている。本実施例では、図６に示されるように、１枚の遊技板３０を構成する、すなわち１枚の遊技板表面部材３２の裏面に固着される複数の裏打ち部材が、裏打ち部材用材料板５０の１枚から５組切り出される。
【００２４】
１枚の裏打ち部材用材料板５０から切り出される５組の複数の裏打ち部材の各裏打ち部材３８，４０，４２，４４，４６の切出位置は、図６において二点鎖線で示す長方形状の５個の領域Ｒ内のそれぞれに組毎に同じ切出パターンで定められる。５個の領域Ｒのうちの３個の領域Ｒは、その長辺が裏打ち部材用材料板５０の短辺に平行に、且つ互いに隣接する長辺が重複するように隣接して配置される。５個の領域Ｒのうちの２個の領域Ｒは、その長辺が裏打ち部材用材料板５０の長辺に平行となり、且つその長辺方向の一端部が重複するように配置される。５組の複数の裏打ち部材の組ごとすなわち領域Ｒごとの各裏打ち部材の相対的な切出位置は同じである。このように、５つの領域Ｒのうちの２つの領域Ｒの長辺方向の端部が重複するように配置されたり、領域Ｒ毎に第５裏打ち部材４６の内側部分を利用して第１裏打ち部材３８の一部が切り出されたりなどして、たとえば図５のように材料板５０から各裏打ち部材が切り出される場合よりも、裏打ち部材用材料板５０の裏打ち部材として利用されない部分が少なくされている。
【００２５】
上述のように、本実施例の遊技板３０によれば、実施例１の遊技板１０を構成する複数の分割部材と同形状であって、遊技板１０よりも厚みの薄い分割部材が互いに接合されて遊技板表面部材３２が構成されている。そして、遊技板３０は、その裏面すなわち遊技板表面部材３２の裏面の複数の所定位置に固着された、遊技板表面部材３２よりも厚みの厚い複数の裏打ち部材（第１裏打ち部材３８、第２裏打ち部材４０、第３裏打ち部材４２、第４裏打ち部材４４および第５裏打ち部材４６）を有し、前記複数の裏打ち部材は、１枚の裏打ち部材用材料板５０から切り出された５組のうちの１組である。このため、遊技板３０の裏面の所定位置たとえばその表面に配置される障害釘を保持するために所定の板厚が要求される複数部位に複数の裏打ち部材３８，４０，４２，４４，４６がそれぞれ固着され、その複数の裏打ち部材は裏打ち部材用材料板５０の１枚から裏打ち部材用材料板５０の裏打ち部材３８，４０，４２，４４，４６に利用されない部分が少なくなるように切り出される。これにより、遊技板３０の製造コストを抑制することができる。
【００２６】
以上、本発明の一実施例を図面を参照して詳細に説明したが、本発明は更に別の態様でも実施でき、その主旨を逸脱しない範囲で種々変更を加え得るものである。
【００２７】
たとえば、前述の実施例１の遊技板１０によれば、１枚の遊技板１０を切り出すのに必要な大きさを有する材料板１４の１枚から２組の分割部材が切り出されていたが、これに限定されるものではなく、たとえば、材料板１４よりも少し小さい寸法の材料板の１枚からたとえば複数組の分割部材を切り出して、複数組毎に分割部材を接合して遊技板１０を構成してもよい。
【００２８】
また、前述の実施例１の遊技板１０によれば、第１分割部材１６、第２分割部材１８、第３分割部材２０、第４分割部材２２および第５分割部材２４が互いに接合されて構成されていたが、これに限定されるものではなく、たとえば遊技板１０を構成する分割部材の形状、言い換えれば分割部材同士の接合部は、適宜変更されてもよい。
【００２９】
また、前述の実施例１の遊技板１０によれば、１枚の遊技板１０を構成する分割部材が２組切り出される材料板１４は、材質が樹脂であったが、たとえば障害釘を保持することができる程度の強度を有していればこれに限定されるものではなく、たとえば、合成木材板であってもよい。
【００３０】
また、前述の実施例２の遊技板３０によれば、遊技板表面部材３２よりも厚い厚みが要求される遊技板表面部材３２の裏面の所定位置に、１枚の裏打ち部材用材料板５０から切り出された５組の裏打ち部材のうちの１組が固着されていたが、これに限定されるものではない。遊技板３０に要求される厚みが所定位置毎に異なる場合には、たとえば第１裏打ち部材３８、第２裏打ち部材４０、第３裏打ち部材４２、第４裏打ち部材４４および第５裏打ち部材４６のそれぞれの裏面のうちの所定位置に、それらの裏打ち部材３８，４０，４２，４４，４６とは異なる厚みを有する材料板から切り出された別の裏打ち部材が固着されて、遊技板３０の厚みがさらに調整されてもよい。つまり、遊技板３０の構成部材は、厚みが互いに異なる３枚以上の材料板から切り出されてもよい。
【００３１】
また、前述の実施例１の遊技板１０によれば、各分割部材１６，１８，２０，２２，２４は種々の固定手段によって相互に固定されていたが、遊技板１０の強度や表面の平滑性等を十分に確保することができる固定手段としては、以下のものが好適に例示される。たとえば接着剤によって分割部材の接合面が相互に接着されることにより分割部材が相互に固定されてもよいし、たとえばビスやプレートなどの固定部品によって分割部材の接合面が相互に固着されることにより分割部材が相互に固定されてもよいし、たとえば超音波溶着などの溶着手段によって分割部材の接合面が相互に接着されることにより分割部材が相互に固定されてもよい。
【００３２】
なお、上述したのはあくまでも一実施形態であり、その他一々例示はしないが、本発明は、その主旨を逸脱しない範囲で当業者の知識に基づいて種々変更、改良を加えた態様で実施することができる。
【符号の説明】
【００３３】
１０，３０：弾球遊技機用遊技板
１４：材料板
１６：第１分割部材（分割部材）
１８：第２分割部材（分割部材）
２０：第３分割部材（分割部材）
２２：第４分割部材（分割部材）
２４：第５分割部材（分割部材）
３８：第１裏打ち部材（裏打ち部材）
４０：第２裏打ち部材（裏打ち部材）
４２：第３裏打ち部材（裏打ち部材）
４４：第４裏打ち部材（裏打ち部材）
４６：第５裏打ち部材（裏打ち部材）
５０：裏打ち部材用材料板
【図１】
2018175178.tif 000003
【図２】
2018175178.tif 000004
【図３】
2018175178.tif 000005
【図４】
2018175178.tif 000006
【図５】
2018175178.tif 000007
【図６】
2018175178.tif 000008